【事件の表示】
　平成１１年特許願第２９２１１５号「可搬式水中電動ポンプ用ＤＣブラシレスモータ」拒絶査定不服審判事件〔平成１３年　４月２７日出願公開、特開２００１−１１９８７９〕について、次のとおり審決する。
【結　論】
　本件審判の請求は、成り立たない。
【理　由】
１．手続の経緯・本願発明
　本願は、平成１１年１０月１４日の出願であって、平成２１年１０月１３日に拒絶査定がなされ同年１１月９日に審判請求がなされた後当審より拒絶理由通知がなされたところ平成２３年３月３日付で手続補正書が提出されたものである。
　本願の請求項１に係る発明（以下「本願発明」という。）は平成２３年３月３日付手続補正書により補正された明細書及び出願当初の図面の記載からみて、特許請求の範囲の請求項１に記載された事項により特定される次のとおりのものと認められる。
　「可搬式水中電動ポンプ用ＤＣブラシレスモータにおけるステータの外周面を囲うモータフレームの両端方向から、それぞれ中心部に軸受を有するベアリングブラケットを対設させ、原動側ベアリングブラケットの軸受にはアルミニウム合金製モータ軸の原動側導出部を枢支させ、負荷側ベアリングブラケットの軸受には、ポンプ羽根車が装着されるアルミニウム合金製モータ軸の負荷側導出部を枢支させ、ステータの内周面と対向する部位におけるアルミニウム合金製モータ軸外周面を原動側導出部および負荷側導出部よりも大径部として形成して、該大径部の外周面に磁性筒を嵌着させ、該磁性筒の外周面において、その円周方向に沿って、複数枚の磁石板を定間隔に並列させた態様で定着することにより小型軽量のロータを構成させ水中電動ポンプを可搬とさせたことを特徴とする、可搬式水中電動ポンプ用ＤＣブラシレスモータ。」
　
２．引用刊行物
（１）これに対して、当審の拒絶の理由に引用した特開平９−１３７７９４号公報（以下「引用刊行物１」という。）には、図面と共に次の事項が記載されている。
　
・「【００１０】本発明になる水中ポンプは、図１に示すように、モータ部１１０を中心にして、その下側にポンプ部１２０を、その上側に制御部１３０を結合して構成される。
【００１１】モータ部１１０は、図２及び図３に詳述するように、内転形のＤＣブラシレスモータにより構成される。図２に示すように、この内転形ＤＣブラシレスモータ１の固定子部は、固定子鉄心２の内周に形成されたスロット内に電気絶縁物を介して固定子巻線３を巻線機により直接巻き込んで構成され、更に、前記固定子鉄心２は、機械的強度，耐水性及び放熱性を考慮したステンレス鋼板製のモータフレーム４に圧入して締結される。回転子部は、モータ回転軸５にロータヨーク６を圧入して締結せしめ、磁界を発生するメインマグネット７を接着剤等により該ロータヨーク６に接着固定して構成する。合成樹脂で成形したエンドブラケット８，９は、前記モータフレーム４の両端を挟むように通しボルト１０によって締結され、前記モータ回転軸５を玉軸受１１ａ，１１ｂによって回転自在に支持する。」
　
・「【００１９】次に、これらのモータ部及び回路部を水中ポンプとして水中下で正常に運転，機能性を保持せしめる外郭構造について説明する。水中ポンプは、ポンプ性能の改善と共に軽量化，水密性（気密性）も製品構造上の重要事項である。モータフレーム４を除く外郭構成部品は、各種の水質に耐えるような合成樹脂を成形して構成される。」
　
・「【００２５】ポンプ部１２０は、ボルテックス方式のポンプである。ポンプランナー４６は、前記中間ケーシング４１を貫通したモータ回転軸５の軸端に固定ねじ４７によって固定される。」
　
　また、図１，２には、固定子鉄心２の外周面を囲うモータフレーム４の両端方向から、それぞれ中心部に玉軸受１１ａ、１１ｂを有するエンドブラケット８，９を対設させた構成が示されている。そして、図１に示されるモータ回転軸５と、モータの負荷であるポンプランナー４６との位置関係を見れば、モータ回転軸５の玉軸受１１ａで枢支される部分は「モータ回転軸５の原動側導出部」ということができるとともに、モータ回転軸５の玉軸受１１ｂで枢支される部分は「モータ回転軸５の負荷側導出部」ということができる。
　さらに、図１，２には、モータ回転軸５の固定子鉄心２の内周面と対向する部位におけるモータ回転軸５外周面が原動側導出部および負荷側導出部よりも大径部として形成され、該大径部の外周面にロータヨークを圧入していることが示されている。
　
　したがって、引用刊行物１には、次の事項からなる発明（以下「引用発明」という。）が記載されているといえる。
　「水中ポンプ用のＤＣブラシレスモータ１における固定子鉄心２の外周面を囲うモータフレーム４の両端方向から、それぞれ中心部に玉軸受１１ａ、１１ｂを有するエンドブラケット８，９を対設させ、エンドブラケット８の玉軸受１１ａにはモータ回転軸５の原動側導出部を枢支させ、エンドブラケット９の玉軸受１１ｂには、ポンプランナー４６が固定されるモータ回転軸５の負荷側導出部を枢支させ、固定子鉄心２の内周面と対向する部位におけるモータ回転軸外周面を原動側導出部および負荷側導出部よりも大径部として形成して、該大径部の外周面にロータヨーク６を圧入して締結させ、該ロータヨーク６の外周面において、メインマグネット７を接着固定させた、軽量の水中ポンプ用ＤＣブラシレスモータ１。」
　
（２）同じく当審の拒絶の理由に引用した特開平２−５８０１８号公報（以下「引用刊行物２」という。）には、図面と共に次の事項が記載されている。
　「軸体３０の材質としては、軽くて錆にくく、しかも加工性のよいアルミニウム合金、あるいはアルミニウム合金の表面に硬化処理を施したものが好ましいが、ステンレス鋼を使用してもよい。」（第３頁左下欄１４〜１７行）
　
（３）同じく当審の拒絶の理由に引用した特開平４−２８５４４６号公報（以下「引用刊行物３」という。）には、図面と共に次の事項が記載されている。
・「【０００５】
【課題を解決するための手段】上記目的に鑑みて本発明は、薄板の積層構造から成るロータコアの中央穴の穴壁が複数の歯を配設した凹凸から成り、各歯の先端がロータコアの中心軸線を中心とした一円周上にあり、前記中央穴にシャフトが圧入されたことを特徴とするロータ構造を提供する。」
　
・「【００１３】図１と図２に示すマグネット２２は上記結合後に貼付固定することができるが、作業工程の都合によってロータコア１０を製作する段階で貼付することもできる。」
　
・上記記載及び図１，２を参照すれば、ロータコア１０は、磁性筒であること、および該磁性筒の外周面において、その円周方向に沿って、複数枚のマグネット２２が定間隔に並列させた態様で定着しているといえる。
　
３．対比
　本願発明と引用発明とを対比すると、後者の「水中ポンプ用のＤＣブラシレスモータ１」と、前者の「可搬式水中電動ポンプ用ＤＣブラシレスモータ」とは「水中電動ポンプ用ＤＣブラシレスモータ」との概念で共通し、後者の「固定子鉄心２」は前者の「ステータ」に相当し、以下同様に「玉軸受１１ａ、１１ｂ」は「軸受」に、「エンドブラケット８，９」は「ベアリングブラケット」に、「エンドブラケット８の玉軸受１１ａ」は「原動側ベアリングブラケットの軸受」に、それぞれ相当する。
　また、後者の「モータ回転軸５」と前者の「アルミニウム合金製モータ軸」とは「モータ軸」との概念で共通する。
　さらに、後者の「エンドブラケット９の玉軸受１１ｂ」は前者の「負荷側ベアリングブラケットの軸受」に相当し、以下同様に「ポンプランナー４６」は「ポンプ羽根車」に、「固定される」態様は「装着される」態様に、それぞれ相当する。
　また、後者の「ロータヨーク６」と前者の「磁性筒」とは、「磁性体」との概念で共通する。
　そして、「嵌着」とは、その字のとおり嵌りあって取り付けられることと認められ、例えば実願平１−５２５８９号（実開平２−１４２９５３号）のマイクロフィルムに、回転軸に偏心体を嵌着させる態様として「焼嵌めまたは圧入等の」（明細書第８頁第７行目）と記載され、実願昭６０−１５５７７２号（実開昭６２−６４１７２号）のマイクロフィルムに「回転子４の外周に焼嵌め或は圧入により嵌着された」（明細書第４頁９〜１０行目）と記載されているように「嵌着」には「圧入」も含まれるものと認められるので、後者の「圧入して締結させ」る態様は、前者の「嵌着させ」る態様に相当するといえる。
　また、後者の「メインマグネット７を接着固定させ」た態様と、前者の「その円周方向に沿って、複数枚の磁石板を定間隔に並列させた態様で定着する」態様とは「磁石板を定着する」との概念で共通する。
　さらに、後者の「軽量の水中ポンプ用ＤＣブラシレスモータ１」と前者の「小型軽量のロータを構成させ水中電動ポンプを可搬とさせた、可搬式水中電動ポンプ用ＤＣブラシレスモータ」とは「軽量の水中ポンプ用ＤＣブラシレスモータ」との概念で共通する。
　したがって両者は、
［一致点］
　「水中電動ポンプ用ＤＣブラシレスモータにおけるステータの外周面を囲うモータフレームの両端方向から、それぞれ中心部に軸受を有するベアリングブラケットを対設させ、原動側ベアリングブラケットの軸受にはモータ軸の原動側導出部を枢支させ、負荷側ベアリングブラケットの軸受には、ポンプ羽根車が装着されるモータ軸の負荷側導出部を枢支させ、ステータの内周面と対向する部位におけるモータ軸外周面を原動側導出部および負荷側導出部よりも大径部として形成して、該大径部の外周面に磁性体を嵌着させ、該磁性体の外周面において、磁石板を定着させた、軽量の水中電動ポンプ用ＤＣブラシレスモータ。」の点で一致し、以下の点で相違している。
　
［相違点１］
　「水中電動ポンプ用ＤＣブラシレスモータ」に関し、本願発明が「可搬式」であるのに対し、引用発明はそのような特定をしていない点。
［相違点２］
　「モータ軸」に関して、本願発明が「アルミニウム合金製」と特定しているのに対して引用発明では、そのような特定をしていない点。
［相違点３］
　「磁性体」に関し、本願発明が「磁性筒」であるのに対し、引用発明では磁性ではあるものの「筒」状であるとは特定されていない点。
［相違点４］
　「磁石板を定着させ」た態様に関し、本願発明が「その円周方向に沿って、複数枚の磁石板を定間隔に並列させた態様で定着する」態様であるのに対し、引用発明では単に「接着固定させ」るものである点。
［相違点５］
　本願発明が、ロータを「小型軽量」に構成させて水中電動ポンプを「可搬とさせ」ているのに対し、引用発明では、単にモータ自体を軽量化するものである点。
　
４．相違点に対する判断
［相違点１，２および５］について
　モータにおいて、軽量化するために回転子をアルミニウム合金で構成することは引用刊行物２に記載されている。引用発明は軽量化を課題としており、この課題解決のために引用刊行物２に記載されたように回転子をアルミニウム合金で構成すればさらに軽量になるものと認められるので引用発明において、軽量化のために引用刊行物２に記載されたように回転子をアルミニウム合金とする構成を採用することで相違点１に係る本願発明の構成とすることは当業者が容易になし得たことと認められる。
　そして、本願発明では軽量化することで可搬式としているものと認められるところ、軽量化により可搬とすることは一般的な課題（例．原査定の拒絶査定時に引用された実願平３−５０７２５号（実開平４−１３４１４８号）のマイクロフィルムの【０００１】「大型水中ポンプのアルミダイキャスト製モーターフレームに関するものである。」との記載、及び【０００５】「軽量で運搬にも便利な電動ポンプのモータフレームを提供することにある。」との記載参照。）といえるので、引用発明においても引用刊行物２に記載の構成を採用することでさらに軽量化するものであり、その結果として、可搬式とすることで、相違点１，２および５に係る本願発明の構成とすることは当業者が容易になし得たことと認められる。さらに、水中ポンプの小型化も一般的な課題に過ぎず、かつ、本願発明において、小型化のために引用発明とは相違する構成を有するものとも認められないので、この点は当業者が必要に応じて適宜設計し得る事項と認められる。
　
［相違点３，４］について
　本願発明のＤＣブラシレスモータに相当する永久磁石電動機において、磁性体として磁性筒を用いること、及び、磁性筒の外周面の円周方向に沿って、複数枚の磁石板を定間隔に並列させた態様で定着させることは、例えば引用刊行物３に記載されているように周知慣用技術である。
　そうすると、永久磁石電動機である引用発明において、上記周知の課題である軽量化のために回転子の磁気回路を薄くする構成を採用する場合に、この引用刊行物３に記載されるような周知慣用技術を採用することで相違点３、４に係る本願発明の構成とすることは当業者が必要に応じて任意になし得る事項と認められる。
　
　なお請求人は、平成２３年３月３日付の意見書３．（ｂ）において、「軽量の為ロータをアルミ合金製として、アルミのみでは非磁性であるのでそのままで磁石板を取り付けた場合、強力な磁界を形成することができないために、磁性筒を嵌着させてモータ効率を上げ、更に磁石板を該磁性筒に取付精度を容易とするものである。しかしながら、これらの磁性筒に磁石板を精度よく取り付ける構成は、引用文献１，２、３及び４（引用刊行物１〜３が相当）には開示も示唆も皆無である。即ち、磁石板はすべて接着材等で取付けたものであり、磁石の磁力を利用して磁性筒に定着させた点は全く開示されていない。」と主張しているが、本願発明では磁石板を固着する手段の構成は何ら特定されておらず、かつ、本願明細書にも磁石の磁力を利用して磁性筒に定着させる旨の記載はない。しかも、引用発明は、モータ軸に磁性体を嵌着させ磁石板を磁性体に取り付ける点で本願発明と同様の構成を有するものであるから、この点に関する請求人の主張は採用できない。
　
　また、本願発明の全体構成により奏される効果は、引用発明、引用刊行物２に記載された発明及び上記周知慣用技術から予測し得る程度のものと認められる。
　
５．むすび
　したがって、本願発明は、引用発明、引用刊行物２に記載された発明及び周知慣用技術に基づいて当業者が容易に発明をすることができたものであるので、特許法第２９条第２項の規定により特許を受けることができない。
　よって、結論のとおり審決する。